【事件の表示】
　特願２００２−３４２３３９「カード型情報記録媒体及びカード型情報記録媒体の製造方法」拒絶査定不服審判事件〔平成１６年　６月２４日出願公開、特開２００４−１７３８４１〕について、次のとおり審決する。
【結　論】
　本件審判の請求は、成り立たない。
【理　由】
第１　手続の経緯 
　本願は，平成１４年１１月２６日に特許出願されたものであって，平成２０年５月２９日付けで拒絶査定がされ，これに対し，同年７月３日に拒絶査定不服審判の請求がなされるとともに，同年７月２８日付けで手続補正がなされたものである。さらに，平成２１年１１月２５日付けで審尋がなされ，回答書が平成２２年２月１日付けで請求人より提出されたものである。
　
　
第２　平成２０年７月２８日付けの手続補正（以下，「本件補正」という。）についての補正却下の決定 
　
 　［補正却下の決定の結論］ 
 　　平成２０年７月２８日付けの手続補正を却下する。 
　
 　［理由］ 
１　補正内容　
　
　本件補正は，補正前の請求の範囲【請求項１３】に係る発明を，次のとおりの【請求項１】に補正することを含むものである。
　
「【請求項１】基板と，
　
集積回路と，
　前記基板の一方の面に位置する指紋検出センサと，
　前記基板の他方の面に位置する血液検出センサと，
　
前記基板の他方の面に位置する電子回路と，
　
前記基板の他方の面に位置し，前記血液検出センサと前記電子回路とを接続する配線と，
　前記指紋検出センサと前記血液検出センサとが対向して配置されている，
　ことを特徴とする
カード型情報記録媒体
　
２　本件補正の適否
（１）本件補正は，「
前記基板の他方の面に位置する電子回路
　これに対し，願書に最初に添付された明細書又は図面（以下，「当初明細書等」という。）の段落【００５０】には「【００５０】図１２（ａ）に示すように，・・・そして，微小タイル状素子１のデバイスと基板１１に設けられている電子回路とはメタル配線４で接続されている。・・・」と記載され，同段落【００５２】には「【００５２】なお，発光素子５１ａ，５１ｂとしては，上記図１２（ａ）に示した構成の他に，自動出力制御（ＡＰＣ：Ａｕｔｏ  Ｐｏｗｅｒ  Ｃｏｎｔｒｏｌ）回路付きの構成を採ることも可能である。以下，半導体集積回路を用いたＡＰＣ回路付き面発光レーザ（発光素子）の構成例について図１２（ｂ）乃至図１４を参照して詳述する。・・・」と記載され，同段落【００５３】には「【００５３】・・・そして，微小タイル状素子２のデバイスと基板１１に設けられている電子回路とはメタル配線５で接続されている。・・・」と記載され，同段落【００５６】には「【００５６】図１４は自動出力制御回路付き面発光レーザの自動出力制御回路を示す回路図である。・・・光モニター回路３１は，フォトダイオード２３を流れる電流の大きさに応じた出力制御信号をドライバ回路３２へ出力する。ここで，光モニター回路３１は，・・・出力制御信号を生成する。この出力制御信号に応じたレーザ出力となるようにドライバ回路３２は面発光レーザ２１を駆動させる。」と記載され，同段落【００５７】には「【００５７】・・・そして，光モニター回路３１及びドライバ回路３２をプラスチックシート１１，微小タイル状素子１又は微小タイル状素子２に設けることで，１つの基板に面発光レーザと自動出力制御回路（ＡＰＣ）を設けることができるので，面発光レーザ装置を大幅に小型化することが可能となるとともに，製造工程が簡素となって製造コストを低減することが可能となる。」と記載され，同段落【００６９】には「【００６９】＜第１１工程＞本工程においては，図１２に示すように，微小タイル状素子１６１の電極とプラスチックシート１１上の回路を配線１９１により電気的に繋ぎ，一つのＬＳＩチップなどの半導体集積回路を完成させる。なお，プラスチックシート１１上には，指紋検出センサ４０，血液検出センサ５０に接続されるドライバー，受光アンプやＣＰＵ等の素子を，ＴＦＴやＳｉ−ＩＣで設けることも可能である。この場合，各センサ４０，５０と各素子とを接続する配線を，上述したインクジェットヘッドから金属を含む液滴を吐出して形成することで，構成材料の量を軽減でき，設計変更などにも容易に対応できるため，製造コストを低減することが可能になる。また，配線１９１もインクジェット方式で形成することが好ましい。・・・」と記載されている。
　そして，上記各段落の記載および図１２〜１４，特に，段落【００６９】における「プラスチックシート１１上の回路」の記載からみて，当初明細書等には「プラスチックシート１１」すなわち「基板」の面上に「電子回路」を設けることが記載されているといえるが，「電子回路」が，指紋検出センサの設けられる面とは反対の面，すなわち，「基板の他方の面」に位置することまでは記載されていない。また，「電子回路」が「基板の他方の面」に位置することが，当初明細書等から自明な事項であるともいえない。
　してみると，本件補正は，当初明細書等に記載した事項の範囲内においてなされたものではないというべきであり，特許法第１７条の２第３項に規定する要件を満たしていない。
　
（２）本件補正は，補正前の【請求項１３】に係る発明を特定するために必要な事項である「照合装置を含む」点を削除する補正事項を含むものである。
　そして，当該補正事項により，補正発明は，指紋検出および血液検出は行うが照合機能は有さないカード型情報記録媒体，すなわち，単なる健康管理機能付カード型情報記録媒体（本願明細書段落【００９０】には，健康管理装置として機能させることも可能である旨記載されている。），あるいは，照合機能をカードリーダー等の外部機器に持たせ，自身は指紋検出および血液検出を行うにすぎないカード型情報記録媒体をも含むこととなる。
　してみると，上記補正事項は，平成１８年法律第５５号改正附則第３条第１項によりなお従前の例によるとされる同法による改正前（以下，「平成１８年改正前」という。）の特許法第１７条の２第４項に掲げる何れの目的（請求項の削除，特許請求の範囲の減縮，誤記の訂正，明瞭でない記載の釈明）にも該当しない。　
　
（３）本件補正は，補正前の【請求項１３】に係る発明に，「
集積回路と，
前記基板の他方の面に位置する電子回路と，
前記基板の他方の面に位置し，前記血液検出センサと前記電子回路とを接続する配線と，
　してみると，上記補正事項は，平成１８年改正前の特許法第１７条の２第４項第２号に規定する特許請求の範囲の減縮を目的とするものに該当しない。また，上記補正事項が，同項第１，３および４号の請求項の削除，誤記の訂正および不明りょうな記載の釈明を目的とするものに該当しないことは明らかである。
　
３　独立特許要件について　
　請求人が審判請求書の請求の理由「（４）補正の根拠」において「請求項１の『
集積回路
前記基板の他方の面に位置する電子回路と，前記基板の他方の面に位置し，前記血液検出センサと前記電子回路とを接続する配線と，
　
（１）引用刊行物の記載事項
　本願出願日前に頒布され，原査定の拒絶の理由において引用された刊行物である特表２００１−５１０５７９号公報（以下，「引用例１」という。）には，図面とともに，次の事項が記載されている。（以下において，下線は当審にて付与。）
　
（１−ア）
「１１．
指紋感知デバイスを有し
該指紋感知デバイスが隔置された感知素子のアレイを備え
該感知素子のアレイが該アレイ上に載置される人の指紋の隆起を容量性的に感知する透明基板上に供されている電子装置において
該電子装置は該感知素子のアレイとは反対の側の該基板の側に配置されている光学的感知デバイスを含み，この光学的感知デバイスが該感知素子アレイ及び該基板を通過する光に反応することを特徴とする電子装置
１２．
請求項１乃至４のいずれかの請求項又は請求項１１に記載の電子装置において
生物測定用のセンサデバイスが該感知素子アレイを介して付加的な人の指の生物測定用の特性を光学的に感知する
for
基板の下に配置されていることを特徴とする電子装置
１３．
請求項１２に記載の電子装置において
該感知デバイスが該感知素子アレイを通過して伝達される赤外線及び可視光を用いるパルス酸素濃度計用センサを有することを特徴とする電子装置
　
（１−イ）
「【発明の詳細な説明】
  指紋を感知するデバイスを有する電子装置
技術分野
  
本発明は指紋を感知するデバイスを有する電子装置に関する
　
（１−ウ）
「
また，昨今，指紋感知デバイスをセキュリティの理由ための製品の広い範囲に取り入れることに大きな興味が注がれている
スマートカードのような他の携帯用電子機器において指紋感知デバイスを使用することが提案されている
　
（１−エ）
「発明の開示
  
本発明の目的は，それゆえに指紋感知デバイス，又は指紋感知デバイスを有する電子装置の改良を提供することにある
  
本発明の一つの態様によれば，指紋感知デバイスを有する電子装置を提供することにあり，この指紋感知デバイスは近接し隔置された感知素子のアレイを備え，これらの感知素子は人の指紋の隆起が該アレイ上に配置されるとき，該隆起を容量的に感知する透明な基板上に供され，それぞれの感知素子は上から覆っている指紋部との組み合わせで容量性効果を創出するセンス電極を有している。そしてこれは該アレイの感知素子が透明導電体材料で形成されるセンス電極と共に略透明であることを特徴としている
  
該センス電極を略透明にすること，及び電極が供される基板がそれ自体透明である事実によって，感知デバイスそのものが略透明となる。容量性のタイプの感知デバイスでは，それぞれの感知素子のエリアの大部分が該センス電極に支配されており，及び該センス電極は近接してパックされている。このように透明なセンス電極を使用することにより，略透明な物性（透明性）が該感知デバイスに供給される。本発明はこのような透明性が付加的な機能を向上させるように大きな利益をもたらすという認識，及びさらにまた，ある既知の種類の容量性の指紋感知デバイスを，上述の目的のためにシンプルかつ便利な態様で容易に改良することができるという理解に起因する
特に，既知の感知素子アレイ下の光学的な，無接触の，生物測定用のセンサを提供することが可能となる。すなわち，このアレイ上から離れた側で指が配置される。その目的は，さらに本物の指の存在を認証するために指紋を取り入れ，これによって不正使用のリスクを減らし，かつ例えば装置の感知エリアの拡大を必要とせずに，該アレイにより，温度，パルス速度，血液の酸素容量等のさらなる生物測定用の性質を感知することにある
　ＬＥＤが出射する可視かつＩＲ光及びフォトディテクタを使用する種類のパルス酸素濃度センサを備えたカメラを使用する従来の光学タイプの指紋センサを有している生物測定用認証システムがＰＣＴ  ＷＯ  ９５／２６０１３に記載されている。後者の構成要素は該指紋センサの上に位置づけられているとき指のいずれかの側に横たわるように配置され，それゆえに指紋センサの外側に向けて空間を占めている。この際，それらを収容するために別な形状のハウジングを必要とし，指が配置されるべき窪みを画定している。
一方，本発明による感知デバイスを用いて，例えばＬＥＤやフォトディテクタを有する光学的センサが該デバイスの基板の後方に配置されている。そして，この光学センサは該デバイスの透明性と，反射技術を使用して該アレイを介して光学的に感知された，パルス，血液中の酸素レベル，指の温度若しくは皮膚の色のような追加の生物測定学上の性質とを利用し，これによって感知用領域をコンパクトに保っている
　
（１−オ）
「
指紋センサの透明性は様々な方法で利益をもたらすように使用することが可能である。ひとつの特別な例では，可視光若しくはＩＲ光のような光を使用するときにその感知のために使用される無接触の種類の付加的な生物測定用センサが指紋感知アレイの背後に便宜的に位置づけされうる
  
該センサが該指紋感知アレイの下に効果的に覆い隠されるので，感知アレイ１０と該センサ６０の組み合わせが具備される機器の領域は該指紋検知アレイの外側表面を伴って大変コンパクトになりうる
以前には，このようなことはパルス若しくは酸素の飽和のような生物学的な特性と指紋とを両方同時に感知する配置において不可能であった
  
さらなる生物学的特性のためのセンサの組み込みが例えばレプリカの指の使用による不正の詐欺の可能性を減じ，さらなる正当性を供することによって認識若しくは証明の安全性を大いに増す
　
（１−カ）
「
指紋感知デバイスがさらなるセキュリティを提供するのに使用されうるポータブルな電気製品のもう一つの例は，スマートカードである
　
　以上の記載を総合すると，上記引用例には，次の発明が開示されていると認められる。「指紋感知デバイスを有し，該指紋感知デバイスが隔置された感知素子のアレイを備え，該感知素子のアレイが該アレイ上に載置される人の指紋の隆起を容量性的に感知する透明基板上に供されている電子装置において，該感知素子は透明導電体材料で形成されるセンス電極と共に略透明であり，該感知素子のアレイとは反対側である該透明基板の下には赤外線及び可視光を用いるパルス酸素濃度計用センサが配置された電子装置。」（以下，「引用発明」という。）
　
　また，本願出願日前に頒布され，原査定において周知例として引用された刊行物である特開平４−２４８８９号公報（以下，「周知例１」という。）には，図面とともに，次の事項が記載されている。
　
（２−ア）
「（２）
ＩＣカード本体と
　
このＩＣカード本体の表面に設けられ，指の特徴情報を入力する圧力センサと
　
この圧力センサによって入力された指の特徴情報とあらかじめＩＣカード本体内に記憶されたカード所有者の指の特徴情報とを照合する照合手段と
　この照合手段の照合結果に基づきＩＣカード本体の使用を許可する制御手段と，
　
前記圧力センサ上の指の真偽を判別する判別手段と
　この判別手段の判別結果に基づき前記ＩＣカード本体の使用を制限する手段と，
を具備することを特徴とする個人認証機能付きＩＣカード
　
（２−イ）
「
第７図は，真偽センサ３の構成の一例を概略的に示す断面図である。図に示したように，真偽センサ３は，ライン状に配列された緑色発光のＬＥＤ　（発光ダイオード）１７と，このＬＥＤ１７の発した光のうち指１２で反射した光を受けるように配置されたラインセンサ１８とが具備されている
このように，真偽センサ３の上に置かれた指が本物である場合には，この指により緑色光は反射されるので，Ｂで示したような出力分布か得られるが，真偽センサ３の上に置かれた指が例えばシリコンゴム等で作られた偽物の指である場合には，緑色光はほとんど反射しないので，Ａで示したような出力分布のままである
　
（２）当審の判断
　
ア　対比 
（ア）補正発明と引用発明とを対比すると，その機能・構造からみて，引用発明の「指紋感知デバイス」，「透明基板」および「赤外線及び可視光を用いるパルス酸素濃度計用センサ」は，それぞれ，補正発明の「指紋検出センサ」，「基板」および「血液検出センサ」に相当する。
　
（イ）引用発明では，「指紋感知デバイス」すなわち「指紋検出センサ」の感知素子のアレイが，「透明基板」すなわち「基板」上に供されているのであるから，「指紋検出センサ」は，「基板上」すなわち「基板の一方の面」に位置しているといえる。
　
（ウ）引用発明の「赤外線及び可視光を用いるパルス酸素濃度計用センサ」を作動させるためには，発光制御および受光量測定等のための「電子回路」，および，「パルス酸素濃度計用センサ」すなわち「血液検出センサ」と当該「電子回路」とを接続する「配線」が必要であることが，技術常識である。そうすると，引用例１には明記されていないものの，引用発明は，「電子回路」，および，「血液検出センサ」と前記「電子回路」とを接続する「配線」を備えているといえる。
　
（エ）上記摘記事項（１−エ）における「
既知の感知素子アレイ下の光学的な，無接触の，生物測定用のセンサを提供することが可能となる。
一方，本発明による感知デバイスを用いて，例えばＬＥＤやフォトディテクタを有する光学的センサが該デバイスの基板の後方に配置されている。
ひとつの特別な例では，可視光若しくはＩＲ光のような光を使用するときにその感知のために使用される無接触の種類の付加的な生物測定用センサが指紋感知アレイの背後に便宜的に位置づけされうる
該センサが該指紋感知アレイの下に効果的に覆い隠されるので，感知アレイ１０と該センサ６０の組み合わせが具備される機器の領域は該指紋検知アレイの外側表面を伴って大変コンパクトになりうる
以前には，このようなことはパルス若しくは酸素の飽和のような生物学的な特性と指紋とを両方同時に感知する配置において不可能であった
　
（オ）引用発明の「電子装置」と，補正発明の「カード型情報記録体」とは，「電子装置」である点において共通している。
　
　してみると，両者は， 
　
（一致点）
「基板と，前記基板の一方の面に位置する指紋検出センサと，血液検出センサと，電子回路と，前記血液検出センサと前記電子回路とを接続する配線と，を含み，前記指紋検出センサと前記血液検出センサとが対向して配置されている，電子装置。」
　
の点で一致し，以下の点で相違する。
　
（相違点１）補正発明では，電子装置が「カード型情報記録媒体」であって，「集積回路」を含むものであるのに対し，引用発明では，電子装置がカード型情報記録媒体ではなく，集積回路を含むものであるかが不明な点。
　
（相違点２）血液検出センサが，補正発明では，「血液検出センサ」，「電子回路」および「前記血液検出センサと前記電子回路とを接続する配線」が「基板の他方の面に位置」しているのに対し，引用発明では，「パルス酸素濃度計用センサ」が感知素子のアレイとは反対側である透明基板の下に位置しており，「電子回路」および「配線」はどこに設けられているかが不明な点。
　
イ　相違点１について　
　指紋検出センサと，指紋とは別の生物学的特性を検出するセンサとを有するカード型情報記録媒体であって，集積回路を含んだものが，本願出願前に周知である。例えば，引用例２および特開平３−２６５０８６号公報第１頁右下欄１〜１２行の記載を参照。そして，引用例２および特開平３−２６５０８６号公報に開示の「ＩＣカード」における「ＩＣ］は，「integrated circuit」すなわち「集積回路」の略称であり，「ＩＣカード」が「集積回路」を含んでいることは，技術常識から自明である。
　そして，引用発明も上記周知技術も，指紋検出センサと，指紋とは別の生物学的特性を検出するセンサとを有する電子装置である点において共通していることから，引用発明に，上記周知技術を適用し，上記相違点１における補正発明のようにすることは，当業者であれば何ら困難性はなく，容易に想到し得るものといえる。
　
ウ　相違点２について
　まず，補正発明では，「血液検出センサ」が「基板の他方の面に位置」している点について検討する。
　上記「イ　相違点１について」で述べたように，引用発明に上記周知技術を適用した場合，すなわち，「電子装置」が「集積回路を含むカード型情報記録媒体」である場合，カードは薄型で単純な構造が望ましいことが自明であるから，透明基板の下に位置する「パルス酸素濃度計用センサ」を透明基板から離して設け，両者を連結するための構成を別途設けるよりは，「透明基板」の下に位置する「パルス酸素濃度計用センサ」を透明基板の下面に直接設けた方が望ましいといえる。
　そうすると，「パルス酸素濃度計用センサ」すなわち「血液検出センサ」を，透明基板の下面，すなわち，「基板の他方の面」に設けるようにすることは，当業者であれば適宜なし得る設計的事項であるといえる。
　
　次に，補正発明では，「電子回路」および「前記血液検出センサと前記電子回路とを接続する配線」が「基板の他方の面に位置」している点について検討する。
　センサと接続する「電子回路」および「配線」を設ける位置を決定するにあたって，設置容易性，および，配線の簡潔性は，一般的に考慮される要素であるといえる。そして，基板の表面は設置容易な場所の一つであるといえ，配線を簡潔にするために，「センサ」，「電子回路」および「配線」を基板の同一面に配置することは，当業者が容易に選択し得る選択肢の一つであるといえる。
　そうすると，引用発明において，「電子回路」および「配線」を設ける位置を，「血液検出センサ」を設ける面と同一の面である「基板の他方の面」とすることは，当業者であれば適宜選択し得る設計的事項であるといえる。
　
　そして，本願明細書に記載された補正発明によってもたらされる効果は，引用例１の記載事項，および，周知の技術的事項から，当業者であれば予測することができる程度のものである。  
　
　したがって，補正発明は，引用発明および周知技術に基づいて，当業者が容易に発明をすることができたものであるから，特許法第２９条第２項の規定により，特許出願の際独立して特許を受けることができないものである。
　
４　まとめ
　以上のとおりであるから，本件補正は，平成１８年法改正前の特許法第１７条の２第３項および第４項の規定に違反するものであり，また，同法第１７条の２第５項において準用する同法第１２６条第５項の規定に違反するので，同法第１５９条第１項の規定において読み替えて準用する同法第５３条第１項の規定により，却下すべきものである。 
　
　
第３　本願発明について
　
１　本願発明
　以上のとおり，平成２０年７月２８日付けの手続補正は，却下されることとなったから，本件特許出願人が特許を受けようとする発明として特定する事項は，平成２０年３月２７日付けの手続補正によって補正された特許請求の範囲の請求項１〜１５に記載されたとおりのものと認められ，その請求項１および１３は，次のとおりである。
　
「【請求項１】　基板と，
　前記基板の一方の面に位置する指紋検出センサと，
　前記基板の他方の面に位置する血液検出センサと，を含み，
　前記指紋検出センサと前記血液検出センサとが対向して配置されている，
　ことを特徴とする照合装置。」 
「【請求項１３】　請求項１乃至１２のいずれか一項に記載の照合装置を含む，ことを特徴とするカード型情報記録媒体。」
　
　以下において，請求項１３に係る発明を「本願発明」という。
　
２　引用刊行物の記載事項　
　原査定の拒絶の理由に引用された引用例およびその記載事項は，上記「第２　３　（１）引用刊行物の記載事項」に記載したとおりである。
　
３　当審の判断　
　本願発明は，補正発明から，「集積回路」，「前記基板の他方の面に位置する電子回路」および「前記基板の他方の面に位置し，前記血液検出センサと前記電子回路とを接続する配線」という発明特定事項を省き，「照合装置を含む」との発明特定事項を付加したものである。
　そうすると，本願発明における構成要件のうち「照合装置を含む」点以外の構成要素をすべて含み，さらに他の構成要件を付加したものに相当する補正発明が，上記「第２　３　（２）当審の判断」において検討のとおり，引用発明および周知技術に基づいて，当業者が容易に発明をすることができたものであり，かつ，「指紋検出センサと，指紋とは別の生物学的特性を検出するセンサとを有するカード型情報記録媒体」で「照合装置を含む」ものが，例えば，引用例２（特に，上記摘記事項（２−ア）の「照合手段」を参照。）および特開平３−２６５０８６号公報（特に，第１頁右下欄６行の「指紋比較手段」を参照。）に記載されているように本願出願前に周知であるから，本願発明も同様の理由により，引用発明および周知技術に基づいて，当業者が容易に発明をすることができたものであるというべきである。
　
　なお，平成２１年１１月２５日付け審尋に対する回答書（平成２２年２月１日付けで請求人より提出されたもの）第２頁８〜９行には，「そこで審判請求人は，本願発明と上記文献との差異を明確にするべく，以下のような補正の用意があります。」と記載されているので，当該補正案についても以下検討する。 
　補正案の請求項１は，次のとおりである。（以下，「補正案発明」という。）
 　
「【請求項１】 
　基板と， 
　集積回路と， 
　前記基板の一方の面に位置する指紋検出センサと， 
　前記基板の他方の面に位置する血液検出センサと， 
　前記基板の他方の面に位置する電子回路と， 
　前記基板の他方の面に位置し，前記血液検出センサと前記電子回路とを接続する配線と，を含み， 
　
前記基板の構成部材が前記血液検出センサから発光される光の波長に対して透過性を有し，
　
前記指紋検出センサの構成部材が前記血液検出センサから発光される光の波長に対して透過性を有し，
　前記指紋検出センサと前記血液検出センサとが対向して配置されている，
　ことを特徴とするカード型情報記録媒体。」
　
　補正案発明は，補正発明の「基板」および「指紋検出センサ」について，「
前記基板の構成部材が前記血液検出センサから発光される光の波長に対して透過性を有し，前記指紋検出センサの構成部材が前記血液検出センサから発光される光の波長に対して透過性を有し，
　これに対し，引用発明では，基板が「透明基板」であって，「指紋感知デバイス」すなわち「指紋検出センサ」を構成する構成部材である「感知素子」および「センス電極」が略透明である。そして，引用例１に関する上記摘記事項（１−エ）における「
一方，本発明による感知デバイスを用いて，例えばＬＥＤやフォトディテクタを有する光学的センサが該デバイスの基板の後方に配置されている。そして，この光学センサは該デバイスの透明性と，反射技術を使用して該アレイを介して光学的に感知された，パルス，血液中の酸素レベル，指の温度若しくは皮膚の色のような追加の生物測定学上の性質とを利用し，これによって感知用領域をコンパクトに保っている
　そうすると，補正発明が，上記「第２　３　（２）当審の判断」において検討のとおり，引用発明および周知技術に基づいて，当業者が容易に発明をすることができたものであり，上記限定事項は引用発明が備えた構成であることから，補正案発明も，補正発明と同様，引用発明および周知技術に基づいて，当業者が容易に発明をすることができたものであるというべきである。 
　
　よって，請求人の主張は採用することができない。
　
４　むすび　
　以上のとおり，本願発明は，特許法第２９条第２項の規定により特許を受けることができないから，その余の請求項に係る発明について検討するまでもなく，本願は拒絶されるべきものである。　
　
　よって，結論のとおり審決する。